【手続補正書】
【提出日】令和3年11月7日(2021.11.7)
【手続補正１】
【補正対象書類名】特許請求の範囲
【補正対象項目名】全文
【補正方法】変更
【補正の内容】
【特許請求の範囲】
【請求項１】
トランスコンダクタシステムであって、
第１の入力電圧に応答して制御電流を生成する第１のトランスコンダクタンス増幅器と、
第２の入力電圧に応答して出力信号を生成する第２のトランスコンダクタンス増幅器と、
前記制御電流と第３の入力電圧とに応答して制御電圧を生成する中間増幅器であって、前記制御電圧が、前記第１及び第２のトランスコンダクタンス増幅器の各々のトランスコンダクタンスをほぼ等しくなるように設定するために、前記第１及び第２のトランスコンダクタンス増幅器に提供される、前記中間増幅器と、
を含む、トランスコンダクタシステム。
【請求項２】
請求項１に記載のトランスコンダクタシステムであって、
前記中間増幅器が、前記第１及び第２のトランスコンダクタンス増幅器の各々の前記トランスコンダクタンスを前記第１の入力電圧で除算した前記第３の入力電圧の比に等しく設定する、トランスコンダクタシステム。
【請求項３】
請求項１に記載のトランスコンダクタシステムであって、
前記第１のトランスコンダクタンス増幅器が、
前記第１の入力電圧に比例するそれぞれの電圧の対に基づいて前記制御電流を生成する第１のトランジスタの差動対と、
前記第１のトランスコンダクタンス増幅器の前記トランスコンダクタンスを設定するために前記制御電圧を介して制御される第１の制御トランジスタと、
を含み、
前記第２のトランスコンダクタンス増幅器が、
前記第２の入力電圧と所定の基準電圧とに基づいて前記出力信号を生成する第２のトランジスタの差動対と、
前記第２のトランスコンダクタンス増幅器の前記トランスコンダクタンスを設定するために前記制御電圧を介して制御される第２の制御トランジスタと、
を含む、トランスコンダクタシステム。
【請求項４】
請求項３に記載のトランスコンダクタシステムであって、
前記第１のトランジスタの差動対と前記第２のトランジスタの差動対とが互いに対して製造整合されるように配置され、前記第１の制御トランジスタと前記第２の制御トランジスタとが互いに対して製造整合されるように配置される、トランスコンダクタシステム。
【請求項５】
請求項１に記載のトランスコンダクタシステムであって、
前記中間増幅器がトランジスタの差動対を含み、
トランジスタの前記差動対が、
前記制御電流に応答して制御される第１のトランジスタと、
前記制御電流と第３の入力電圧とに応答して制御される第２のトランジスタであって、前記第１及び前記第２のトランスコンダクタンス増幅器の各々の前記トランスコンダクタンスがほぼ等しくなるように設定するために前記制御電圧の振幅を設定するように第２のトランジスタが制御されるように、前記制御電圧を有する増幅器制御ノードに結合される、前記第２のトランジスタと、
を含む、トランスコンダクタシステム。
【請求項６】
請求項１に記載のトランスコンダクタシステムであって、
前記第１のトランスコンダクタンス増幅器の前記トランスコンダクタンスを調節し、前記制御電流の振幅を調節し、前記制御電圧の振幅を調節することに応答して前記第２のトランスコンダクタンス増幅器の前記トランスコンダクタンスを均等に調節するために、前記中間増幅器が、前記制御電流に応答して前記制御電圧の振幅を調節するように、前記第１のトランスコンダクタンス増幅器と前記中間増幅器とが、前記制御電流と前記制御電圧とに対してフィードバック配置に配置される、トランスコンダクタシステム。
【請求項７】
請求項１に記載のトランスコンダクタシステムを含む電力レギュレータシステムであって、
前記電力レギュレータシステムが、前記出力信号に対応する電力レギュレーション信号に応答して前記第１の入力電圧に対応する出力電圧を生成するバックレギュレータを更に含む、電力レギュレータシステム。
【請求項８】
請求項７に記載の電力レギュレータシステムであって、
前記第２の入力電圧に対応する電流監視電圧を生成する電流モニタであって、前記トランスコンダクタンスシステムが前記入力電流の前記振幅に基づいて前記電力レギュレーション信号をレギュレートするように、前記前記電流監視電圧が前記第３の入力電圧に対応する電力レギュレータ入力電圧の入力電流の振幅に関連する振幅を有する、前記電流モニタを更に含む、電力レギュレータシステム。
【請求項９】
請求項８に記載の電力レギュレータシステムであって、
前記トランスコンダクタンスシステムと前記バックレギュレータとが、前記出力電圧に対してフィードバック配置に配置され、
前記フィードバック配置のループ利得が前記入力電圧と前記出力電圧とに依存しないように、前記トランスコンダクタンスシステムが、前記電力レギュレータ入力電圧と前記出力電圧との比に比例するトランスコンダクタンスを提供する、電力レギュレータシステム。
【請求項１０】
請求項８に記載の電力レギュレータシステムであって、
ＡＣ入力電圧を前記電力レギュレータ入力電圧に変換する整流器を更に含む、電力レギュレータシステム。
【請求項１１】
トランスコンダクタシステムであって、
第１の入力電圧に応答して制御電流を生成する第１のトランスコンダクタンス増幅器と、
第２の入力電圧に応答して出力信号を生成する第２のトランスコンダクタンス増幅器と、
前記制御電流と第３の入力電圧とに応答して制御電圧を生成する中間増幅器であって、前記制御電圧が、前記トランスコンダクタシステムのトランスコンダクタンスを前記第３の入力電圧と前記第１の入力電圧との比に比例するように設定するために、前記第１及び前記第２のトランスコンダクタンス増幅器に提供される、前記中間増幅器と、
を含む、トランスコンダクタシステム。
【請求項１２】
請求項１１に記載のトランスコンダクタシステムであって、
前記第１のトランスコンダクタンス増幅器が、
前記第１の入力電圧に比例するそれぞれの電圧の対に基づいて前記制御電流を生成する第１のトランジスタの差動対と、
前記第１のトランスコンダクタンス増幅器の前記トランスコンダクタンスを設定するために前記制御電圧を介して制御される第１の制御トランジスタと、
を含み、
前記第２のトランスコンダクタンス増幅器が、
前記第２の入力電圧と所定の基準電圧とに基づいて前記出力信号を生成する第２のトランジスタの差動対と、
前記第２のトランスコンダクタンス増幅器の前記トランスコンダクタンスを設定するために前記制御電圧を介して制御される第２の制御トランジスタと、
を含み、
前記第１のトランジスタの差動対と前記第２のトランジスタの差動対とが互いに対して製造整合されるように配置され、前記第１の制御トランジスタと前記第２の制御トランジスタとが互いに対して製造整合されるように配置される、トランスコンダクタシステム。
【請求項１３】
請求項１１に記載のトランスコンダクタシステムであって、
前記中間増幅器が、トランジスタの差動対を含み、
前記トランジスタの差動対が、
前記制御電流に応答して制御される第１のトランジスタと、
前記システム電流と前記第３の入力電圧とに応答して制御される第２のトランジスタであって、前記第１及び第２の制御の各トランスコンダクタンスをほぼ等しくなるように設定するために前記第２のトランジスタが前記制御電圧の振幅を設定するように、前記制御電圧を有する増幅器制御ノードに結合される、前記第２のトランジスタと、
を含む、トランスコンダクタンス増幅器。
【請求項１４】
請求項１１に記載のトランスコンダクタシステムであって、
前記第１のトランスコンダクタンス増幅器の前記トランスコンダクタンスを調節し、前記制御電流の振幅を調節するために、前記中間増幅器が前記制御電流に応答して前記制御電圧の振幅を調節ように、前記第１のトランスコンダクタンス増幅器と前記中間増幅器とが、前記制御電流と前記制御電圧とに対してフィードバック配置に配置され、
前記中間増幅器が、同様に、前記制御電圧の前記振幅を調節することに応答して前記第２のトランスコンダクタンス増幅器の前記トランスコンダクタンスを均等に調節する、トランスコンダクタシステム。
【請求項１５】
請求項１１に記載のトランスコンダクタシステムを含む電力レギュレータシステムであって、
前記電力レギュレータシステムが、  
前記出力信号に対応する電力レギュレーション信号に応答して前記第１の入力電圧に対応する出力電圧を生成するバックレギュレータと、
ＡＣ入力電圧を第３の入力電圧に変換する整流器と、
前記第２の入力に対応する電流監視電圧を生成する電流モニタであって、前記トランスコンダクタシステムが入力電流の振幅に基づいて前記電力レギュレーション信号をレギュレートするように、前記電流監視電圧が前記第３の入力電圧に対応する前記入力電流の振幅に関連する振幅を有する、前記電流モニタと、
を含む、電力レギュレータシステム。
【請求項１６】
電力レギュレータシステムであって、
電力レギュレーション信号に応答して出力電圧を生成するバックレギュレータと、
ＤＣ入力電圧と前記出力電圧とに応答して前記電力レギュレーション信号を生成し、前記入力電圧と前記出力電圧との比に比例するトランスコンダクタンスを有するトランスコンダクタシステムであって、
出力電圧に応答して制御電流を生成する第１のトランスコンダクタンス増幅器と、
前記入力電圧に対応する入力電流の振幅に関連する振幅を有する電流監視電圧に応答して前記電力レギュレーション信号を生成する第２のトランスコンダクタンス増幅器と、
前記制御電流と前記入力電圧とに応答して制御電圧を生成する中間増幅器であって、前記制御電圧が、前記第１及び第２のトランスコンダクタンス増幅器の各々のトランスコンダクタンスをほぼ等しくなるように設定するために、前記第１及び第２のトランスコンダクタンス増幅器に提供される、前記中間増幅器と、
を含む、前記トランスコンダクタシステムと、
を含む、電力レギュレータシステム。
【請求項１７】
請求項１６に記載の電力レギュレータシステムであって、
前記第１のトランスコンダクタンス増幅器が、
前記出力電圧の分圧された振幅に対応するそれぞれの電圧の対に基づいて前記制御電流を生成する第１のトランジスタの差動対と、
前記第１のトランスコンダクタンス増幅器の前記トランスコンダクタンスを設定するために前記制御電圧を介して制御される第１の制御トランジスタと、
を含み、
前記第２のトランスコンダクタンス増幅器が、
前記電流監視電圧と所定の基準電圧とに基づいて前記出力信号を生成する第２のトランジスタの差動対と、
前記第２のトランスコンダクタンス増幅器の前記トランスコンダクタンスを設定するために前記制御電圧を介して制御される第２の制御トランジスタと、
を含み、
前記第１のトランジスタの差動対と前記第２のトランジスタの差動対とが互いに対して製造整合されるように配置され、前記第１の制御トランジスタと前記第２の制御トランジスタとが互いに対して製造整合されるように配置される、電力レギュレータシステム。
【請求項１８】
請求項１６に記載の電力レギュレータシステムであって、
前記中間増幅器が、トランジスタの差動対を含み、
前記トランジスタの差動対が、
前記制御電流に応答して制御される第１のトランジスタと、
前記制御電流と前記入力電圧とに応答して制御される第２のトランジスタであって、前記第１及び第２のトランスコンダクタンス増幅器の各々のトランスコンダクタンスをほぼ等しくなるように設定するために、前記第２のトランジスタが前記制御電圧の振幅を設定するように制御されるように、前記制御電圧を有する増幅器制御ノードに結合される、前記第２のトランジスタと、
を含む、電力レギュレータシステム。
【請求項１９】
請求項１６に記載の電力レギュレータシステムであって、
前記第１のトランスコンダクタンス増幅器の前記トランスコンダクタンスを調節し、前記制御電流の振幅を調節し、前記制御電圧の振幅を調節することに応答して前記第２のトランスコンダクタンス増幅器の前記トランスコンダクタンスを均等に調節するために、前記中間増幅器が前記制御電流に応答して前記制御電圧の振幅を調節するように、前記第１のトランスコンダクタンス増幅器と前記中間増幅器とが、前記制御電流と前記前記制御電圧とに対してフィードバック配置に配置される、電力レギュレータシステム。